(57)【要約】      （修正有）【課題】暗い場所でも位置の確認が容易にできて、即座に履くことができるスリッパを提供する。【解決手段】本体部１２と、該本体部１２の上面側に設けられる甲皮部１３と、前記本体部１２の底面側に設けられる底部材１４とから少なくとも構成されるスリッパ１１であって、前記甲皮部１３の一部又は全部、及び／又は前記底部材１４の縁部を、光反射性材料又は蓄光性材料で構成した。【選択図】図１
0003143469.tif 000002
【実用新案登録請求の範囲】
【請求項１】
本体部と、該本体部の上面側に設けられる甲皮部と、前記本体部の底面側に設けられる底部材とから少なくとも構成されるスリッパであって、
前記甲皮部の一部又は全部、及び／又は前記底部材の縁部を、光反射性材料又は蓄光性材料で構成したこと
を特徴とするスリッパ。
【請求項２】
前記光反射性材料又は蓄光性材料で構成した前記甲皮部の一部は、開口縁部であること
を特徴とする請求項１に記載のスリッパ。
【考案の詳細な説明】
【技術分野】
【０００１】
本考案は、スリッパに関するものであり、更に詳しくは、暗い場所でも位置の確認が容易にできて、即座に履くことができるスリッパに関するものである。
【背景技術】
【０００２】
従来、この種のスリッパとしては、次のような構成のものが知られている。このスリッパは、本体部と甲皮部とを有するスリッパであって、甲皮部には、蓄光繊維又は発光材料からなる糸を使用した刺繍が施されている（特許文献１及び２参照）。
【０００３】
このような構成のスリッパは、暗い場所で刺繍が発光するので、それを目印にスリッパの位置を確認することができる。
【特許文献１】実用新案登録第３０７１８１１号公報
【特許文献２】特開２０００−２７０９０５号公報
【考案の開示】
【考案が解決しようとする課題】
【０００４】
この従来例のスリッパにおいては、発光する刺繍を目印にして、暗い場所でスリッパをの位置を確認できるという利点があるが、しかしながら、スリッパの置かれている向きや、爪先を差し込む甲皮部の開口部が分からないので、スリッパを即座に履けないという欠点を有している。
【０００５】
従って、従来例におけるスリッパにおいては、暗い場所でスリッパの置かれている向きや、甲皮部の開口部を容易に確認できて、即座に履くことができるようにすることに解決しなければならない課題を有している。
【課題を解決するための手段】
【０００６】
前記従来例の課題を解決する具体的手段として本考案は、本体部と、該本体部の上面側に設けられる甲皮部と、前記本体部の底面側に設けられる底部材とから少なくとも構成されるスリッパであって、前記甲皮部の一部又は全部、及び／又は前記底部材の縁部を、光反射性材料又は蓄光性材料で構成したことを特徴とするスリッパを提供するものである。
【０００７】
また、前記光反射性材料又は蓄光性材料で構成した前記甲皮部の一部は、開口縁部であること、；
を含むものである。
【考案の効果】
【０００８】
本考案に係るスリッパは、本体部と、該本体部の上面側に設けられる甲皮部と、前記本体部の底面側に設けられる底部材とから少なくとも構成されるスリッパであって、前記甲皮部の一部又は全部、及び／又は前記底部材の縁部を、光反射性材料又は蓄光性材料で構成したことによって、例えば消灯後の病室のような暗い場所であっても、廊下から差し込む蛍光灯の光を光反射性材料が反射する。あるいは光が蓄えられた蓄光性材料が発光する。従って、スリッパの位置の確認が容易にできて即座に履くことができる。
特に、底部材の縁部を光反射性材料又は蓄光性材料で構成した場合には、スリッパの輪郭に沿って光るので、スリッパの置かれている向きが分かり、スリッパを正確に素早く履くことができるという種々の優れた効果を奏する。
【０００９】
また、前記光反射性材料又は蓄光性材料で構成した前記甲皮部の一部は、開口縁部であることによって、当該部位が円弧状に光を反射しあるいは発光するので、爪先を差し込む甲皮部の開口部がひと目で分かる。従って、スリッパを即座に履くことができるという優れた効果を奏する。
【考案を実施するための最良の形態】
【００１０】
次に、本発明の実施の形態について図面を参照しながら説明する。まず、図１及び図２において、符号１１はスリッパを示し、このスリッパ１１は、本体部１２と、この本体部１２の上面側に設けられる甲皮部１３と、本体部１２の底面側に設けられる底部材１４とから構成される。
【００１１】
本体部１２は、図３に示すように、厚紙素材等からなる芯材１５の上面に、スポンジ等からなる緩衝材１６を重貼し、これら芯材１５及び緩衝材１６の上下両面から包み込むように化粧布１７で被覆してから縁部に沿って縫合し、更に、それらの下部に厚紙素材等からなる支持部材１８を貼着させて、概ね構成される。
【００１２】
甲皮部１３は、図３に示すように、足先及び足の甲部を包み込む形状に湾曲形成した芯材１９の上下両面を化粧布２０で被覆すると共に、その両端部１３ａ、１３ａを所定幅折り返して支持部材１８の裏面側に接着して取り付けている。
【００１３】
甲皮部１３の一部、望ましくは開口縁部２１には、光反射性材料又は蓄光性材料からなるシート材が貼着又は縫着等の適宜の手段で取り付けられている。このシート材が光反射性材料の場合は、開口縁部２１に沿って、他の光源からの光を円弧状に反射する。また、シート材が蓄光性材料の場合は、開口縁部２１に沿って、蓄えた光を円弧状に発光する。従って、円弧状の光を目印にして、甲皮部１３の開口部に爪先を差し込んでスリッパ１１を即座に履くことができるのである。
【００１４】
なお、甲皮部１３の表面の全面に亘って光反射性材料又は蓄光性材料からなるシート材を貼着又は縫着等の適宜の手段で取り付けても良いことは勿論である。
【００１５】
底部材１４は、図３に示すように、緩衝材及び厚紙素材等からなる芯材２２の下面側に、化粧シート２３が貼着又は縫着等の適宜の手段で取り付けられていると共に、化粧シート２３の両端部に、光反射性材料又は蓄光性材料からなるシート材２４の一端部２４ａが縫着されている。
【００１６】
シート材２４は、芯材２２の縁部に沿って折り込まれて、他端部２４ｂが芯材２２の上面側に貼着又は縫着等の適宜の手段で取り付けられている。このようにして、底部材１４の縁部１４ａ、１４ａに光反射性材料又は蓄光性材料からなるシート材２４が設けられ、このシート材２４が、支持部材１８の下面側に、甲皮部１３の端部１３ａを挟持した状態で取り付けられている。
【００１７】
シート材２４が光反射性材料の場合は、スリッパ１１の輪郭に沿って、他の光源からの光を反射する。また、シート材２４が蓄光性材料の場合は、スリッパ１１の輪郭に沿って、蓄えた光を発光する。従って、その光を目印にしてスリッパ１１の置かれている向きが分かり、スリッパを正確に素早く履くことができるのである。
【００１８】
以上のように構成されるスリッパ１１は、甲皮部１３の開口縁部２１、及び底部材１４の縁部１４ａを、光反射性材料又は蓄光性材料で構成したことによって、例えば消灯後の病室のような暗い場所であっても、廊下から差し込む蛍光灯の光を光反射性材料が反射する。あるいは光が蓄えられた蓄光性材料が発光する。従って、スリッパの位置の確認が容易にできて即座に履くことができるのである。
【図面の簡単な説明】
【００１９】
【図１】本考案に係るスリッパ１１の斜視図である。
【図２】本考案に係るスリッパ１１の側面図である。
【図３】図２のＡ−Ａ線断面図である。
【符号の説明】
【００２０】
１１  スリッパ
１２  本体部
１３  甲皮部
１３ａ端部
１４  底部材
１４ａ縁部
１５  芯材
１６  緩衝材
１７  化粧布
１８  支持部材
１９  芯材
２０  化粧布
２１  開口縁部
２２  芯材
２３  化粧シート
２４  シート材
２４ａ一端部
２４ｂ他端部
【図１】
0003143469.tif 000003
【図２】
0003143469.tif 000004
【図３】
0003143469.tif 000005